【手続補正書】
【提出日】平成30年5月21日(2018.5.21)
【手続補正１】
【補正対象書類名】特許請求の範囲
【補正対象項目名】全文
【補正方法】変更
【補正の内容】
【特許請求の範囲】
【請求項１】
送信信号干渉を最小化する方法であって、
信号を受信することと、
受信した前記信号を増幅することと、
ベースバンド変調信号を取得するために、受信した前記信号を中間周波数信号と混合することと、
第１のフィルタにおいて、前記ベースバンド変調信号をフィルタ処理することと、
前記第１のフィルタ処理済みベースバンド変調信号を、主要の双二次フィルタ処理経路及び少なくとも１つの補助の双二次フィルタ処理経路の間で分割することと、
前記ベースバンド変調信号の第１の分割部を、双二次フィルタの前記主要経路に送り、第１の双二次フィルタ処理済み信号を生成することと、
前記ベースバンド変調信号の第２の分割部を、前記双二次フィルタの前記補助経路に送り、第２の双二次フィルタ処理済み信号を生成することと、
前記双二次フィルタの二段目の前に、前記第１の双二次フィルタ処理済み信号を前記第２の双二次フィルタ処理済み信号と再結合することと、
前記双二次フィルタの前記二段目において再結合された前記双二次フィルタ処理済み信号をフィルタ処理することと
を備える方法。
【請求項２】
前記第１のフィルタ処理済みベースバンド変調信号は、前記主要の双二次フィルタ処理経路及び複数の補助の双二次フィルタ経路の間で分割される、請求項１に記載の方法。
【請求項３】
前記補助の双二次フィルタ経路は、並列経路である、請求項１に記載の方法。
【請求項４】
前記複数の補助の双二次フィルタ経路は、互いに並列である、請求項２に記載の方法。
【請求項５】
前記複数の補助の双二次フィルタ経路は、互いに並列である、請求項１に記載の方法。
【請求項６】
前記第１のフィルタ処理済みベースバンド変調信号をルーティングするよりも先に、補助経路の使用に関する決定がなされる、請求項１に記載の方法。
【請求項７】
複数の補助経路を使用するかどうかを決定することを更に備える、請求項１に記載の方法。
【請求項８】
送信信号干渉を最小化するための装置であって、
信号を受信するための手段と、
受信した前記信号を増幅するための手段と、
ベースバンド変調信号を取得するために、受信した前記信号を中間周波数信号と混合するための手段と、
第１のフィルタにおいて、前記ベースバンド変調信号をフィルタ処理するための手段と、
前記第１のフィルタ処理済みベースバンド変調信号を、主要の双二次フィルタ処理経路及び少なくとも１つの補助の双二次フィルタ処理経路の間で分割するための手段と、
前記ベースバンド変調信号の第１の分割部を、双二次フィルタの前記主要経路に送り、第１の双二次フィルタ処理済み信号を生成するための手段と、
前記ベースバンド変調信号の第２の分割部を、前記双二次フィルタの前記補助経路に送り、第２の双二次フィルタ処理済み信号を生成するための手段と、
前記双二次フィルタの二段目の前に、前記第１の双二次フィルタ処理済み信号を前記第２の双二次フィルタ処理済み信号と再結合するための手段と、
前記双二次フィルタの前記二段目において再結合された前記双二次フィルタ処理済み信号をフィルタ処理するための手段と
を備える装置。
【請求項９】
前記第１のフィルタ処理済みベースバンド変調信号を、主要の双二次フィルタ処理経路及び複数の補助の双二次フィルタ経路の間で分割するための手段を更に備える、請求項８に記載の装置。
【請求項１０】
前記第１のフィルタ処理済みベースバンド変調信号を分割するための前記手段は、前記補助の双二次フィルタ経路を並列経路にルーティングする、請求項８に記載の装置。
【請求項１１】
分割するための前記手段は、前記分割された信号を複数の補助の双二次フィルタ並列経路にルーティングする、請求項８に記載の装置。
【請求項１２】
フィルタ処理するための前記手段は、主要の双二次フィルタ処理経路と補助の双二次フィルタ処理経路との間で双二次フィルタの一段目を共有する、請求項８に記載の装置。
【請求項１３】
プログラム命令を含む非一時的なコンピュータ可読媒体であって、前記プログラム命令は、プロセッサによって実行されると、前記プロセッサに、請求項１−７のうちのいずれか一項に記載の方法を実行させる、非一時的なコンピュータ可読媒体。
【手続補正２】
【補正対象書類名】明細書
【補正対象項目名】００５２
【補正方法】変更
【補正の内容】
【００５２】
[0059]開示された例示的な実施形態についての先の説明は、当業者が本発明を製造又は使用できるように提供されている。これらの例示的な実施形態に対する様々な修正は、当業者には容易に明らかであり、本明細書で説明された包括的な原理は、本発明の精神又は範囲から逸脱することなく、他の実施形態に適用され得る。故に、本発明は、本明細書で示された例示的な実施形態に限定されることは意図されず、本明細書で開示された原理及び新規な特徴と一致する最も広い範囲を与えられるべきである。
以下に本願の出願当初の特許請求の範囲に記載された発明を付記する。
［Ｃ１］
送信信号干渉を最小化する方法であって、
信号を受信することと、
受信した前記信号を増幅することと、
ベースバンド変調信号を取得するために、受信した前記信号を中間周波数信号と混合することと、
第１のフィルタにおいて、前記ベースバンド変調信号をフィルタ処理することと、
前記第１のフィルタ処理済みベースバンド変調信号を、事前選択された量で分割することと、
前記ベースバンド変調信号の第１の分割部を、双二次フィルタの主要経路に送り、第１の双二次フィルタ処理済み信号を生成することと、
前記ベースバンド変調信号の第２の分割部を、双二次フィルタの補助経路に送り、第２の双二次フィルタ処理済み信号を生成することと、
前記双二次フィルタの二段目の前に、前記第１の双二次フィルタ処理済み信号を前記第２の双二次フィルタ処理済み信号と再結合することと、
前記双二次フィルタの前記二段目において再結合された前記双二次フィルタ処理済み信号をフィルタ処理することと
を備える方法。
［Ｃ２］
前記第１のフィルタ処理済みベースバンド変調信号は、主要の双二次フィルタ処理経路及び複数の補助の双二次フィルタ経路の間で分割される、Ｃ１に記載の方法。
［Ｃ３］
前記補助の双二次フィルタ経路は、並列経路である、Ｃ１に記載の方法。
［Ｃ４］
前記複数の補助の双二次フィルタ経路は、互いに並列である、Ｃ２に記載の方法。
［Ｃ５］
前記複数の補助の双二次フィルタ経路は、互いに並列である、Ｃ１に記載の方法。
［Ｃ６］
前記第１のフィルタ処理済みベースバンド変調信号をルーティングするよりも先に、補助経路の使用に関する決定がなされる、Ｃ１に記載の方法。
［Ｃ７］
複数の補助経路を使用するかどうかを決定することを更に備える、Ｃ１に記載の方法。
［Ｃ８］
送信信号干渉を最小化するための装置であって、
アンテナと、
低ノイズ増幅器と、
変圧器と、
ミキサと、
ＲＣフィルタと、
主要の双二次フィルタ処理経路と、
少なくとも１つの補助の双二次フィルタ処理経路と
を備える装置。
［Ｃ９］
並列の複数の補助の双二次フィルタ処理経路を更に備える、Ｃ８に記載の装置。
［Ｃ１０］
双二次フィルタの一段目は、主要の双二次フィルタ処理経路と補助の双二次フィルタ処理経路との間で共有される、Ｃ８に記載の装置。
［Ｃ１１］
送信信号干渉を最小化するための装置であって、
信号を受信するための手段と、
受信した前記信号を増幅するための手段と、
ベースバンド変調信号を取得するために、受信した前記信号を中間周波数信号と混合するための手段と、
第１のフィルタにおいて、前記ベースバンド変調信号をフィルタ処理するための手段と、
前記第１のフィルタ処理済みベースバンド変調信号を事前選択された量で分割するための手段と、
前記ベースバンド変調信号の第１の分割部を、双二次フィルタの主要経路に送り、第１の双二次フィルタ処理済み信号を生成するための手段と、
前記ベースバンド変調信号の第２の分割部を、前記双二次フィルタの補助経路に送り、第２の双二次フィルタ処理済み信号を生成するための手段と、
前記双二次フィルタの二段目の前に、前記第１の双二次フィルタ処理済み信号を前記第２の双二次フィルタ処理済み信号と再結合するための手段と、
前記双二次フィルタの前記二段目において再結合された前記双二次フィルタ処理済み信号をフィルタ処理するための手段と
を備える装置。
［Ｃ１２］
前記第１のフィルタ処理済みベースバンド変調信号を、主要の双二次フィルタ処理経路及び複数の補助の双二次フィルタ経路の間で分割するための手段を更に備える、Ｃ１１に記載の装置。
［Ｃ１３］
前記第１のフィルタ処理済みベースバンド変調信号を分割するための前記手段は、前記補助の双二次フィルタ経路を並列経路にルーティングする、Ｃ１１に記載の装置。
［Ｃ１４］
分割するための前記手段は、前記分割信号を複数の補助の双二次フィルタ並列経路にルーティングする、Ｃ１１に記載の装置。
［Ｃ１５］
フィルタ処理するための前記手段は、主要の双二次フィルタ処理経路と補助の双二次フィルタ処理経路との間で双二次フィルタの一段目を共有する、Ｃ１１に記載の装置。
［Ｃ１６］
プログラム命令を含む非一時的なコンピュータ可読媒体であって、前記プログラム命令は、プロセッサによって実行されると、前記プロセッサに、
信号を受信することと、
受信した前記信号を増幅することと、
ベースバンド変調信号を取得するために、受信した前記信号を中間周波数信号と混合することと、
第１のフィルタにおいて、前記ベースバンド変調信号をフィルタ処理することと、
前記第１のフィルタ処理済みベースバンド変調信号を事前選択された量で分割することと、
前記ベースバンド変調信号の第１の分割部を、双二次フィルタの主要経路に送り、第１の双二次フィルタ処理済み信号を生成することと、
前記ベースバンド変調信号の第２の分割部を、双二次フィルタの補助経路に送り、第２の双二次フィルタ処理済み信号を生成することと、
前記双二次フィルタの二段目の前に、前記第１の双二次フィルタ処理済み信号を前記第２の双二次フィルタ処理済み信号と再結合することと、
前記双二次フィルタの前記二段目において再結合された前記双二次フィルタ処理済み信号をフィルタ処理することと
を備える方法を実行させる、非一時的なコンピュータ可読媒体。
［Ｃ１７］
前記第１のフィルタ処理済みベースバンド変調信号を、主要の双二次フィルタ処理経路及び補助の双二次フィルタ経路の間で分割するための命令
を更に備える、Ｃ１６に記載の前記プログラム命令を含む非一時的なコンピュータ可読媒体。
［Ｃ１８］
前記第１のフィルタ処理済みベースバンド変調信号を前記並列の補助の双二次フィルタ経路にルーティングすること
を更に備える、Ｃ１６に記載の前記プログラム命令を含む非一時的なコンピュータ可読媒体。
［Ｃ１９］
前記第１のフィルタ処理済みベースバンド変調信号を、互いに並列である前記複数の補助の双二次フィルタ経路にルーティングすること
を更に備える、Ｃ１６に記載の前記プログラム命令を含む非一時的なコンピュータ可読媒体。
［Ｃ２０］
前記第１のフィルタ処理済みベースバンド変調信号を補助経路にルーティングするかどうかを決定すること
を更に備える、Ｃ１６に記載の前記プログラム命令を含む非一時的なコンピュータ可読媒体。
［Ｃ２１］
少なくとも１つの補助経路の使用を可能にするためにスイッチを開けるための命令を提供すること
を更に備える、Ｃ１６に記載の前記プログラム命令を含む非一時的なコンピュータ可読媒体。
［Ｃ２２］
複数の補助経路の使用を可能にするためにスイッチを開けるための命令を提供すること
を更に備える、Ｃ１６に記載の前記プログラム命令を含む非一時的なコンピュータ可読媒体。